(57)【要約】【課題】メンテナンスマンがこの種の給湯システムを熟知していなくても、給湯接続ユニットの故障診断を簡単かつ確実に行うことができる給湯システムの故障診断装置を提供する。【解決手段】装置全体を制御する診断制御手段１１と、各種故障診断プログラム等が記憶されている記憶手段１２と、操作画面や診断結果等を表示する表示手段１３と、故障診断の開始操作等の種々の入力操作を行う入力手段１４と、給湯接続ユニットや風呂給湯器のコントローラに通信可能に接続する通信手段１５とを備えており、診断制御手段１１は、故障診断プログラムに従って、給湯接続ユニットや風呂給湯器に対して所定の動作を実行させる動作指令信号を給湯接続ユニットや風呂給湯器のコントローラに送信すると共に、給湯接続ユニットや風呂給湯器のコントローラから受信した、種々の運転状態情報に基づいて、給湯接続ユニットの故障診断を行うようになっている。【選択図】        図２
2004308935.tif 000002
【特許請求の範囲】
【請求項１】
主熱源としての給湯器と、補助熱源によって生成された予熱温水に必要に応じて低温水を混合して前記給湯器に送出する混合調節弁が搭載された給湯接続ユニットとを有し、前記混合調節弁は、全開状態で予熱温水を、全閉状態で低温水を前記給湯器に送出するようになっている給湯システムの故障診断装置であって、
前記給湯接続ユニットに対して所定の動作を実行させる動作指令信号を前記給湯接続ユニットに送信すると共に、前記給湯器及び前記給湯接続ユニットから、それらの運転状態を示す運転状態信号を受信する診断制御手段とを備え、
前記診断制御手段は、
出湯状態において、前記給湯接続ユニットから取得した前記給湯接続ユニットに導入される予熱温水及び低温水の温度と、
出湯状態において、前記給湯接続ユニットに前記混合調節弁の全閉指令を送信し、前記混合調節弁が閉弁動作を完了した状態で、前記給湯器から取得した閉弁時給湯器入水温度及び出湯状態において、前記給湯接続ユニットに前記混合調節弁の全開指令を送信し、前記混合調節弁が開弁動作を完了した状態で、前記給湯器から取得した開弁時給湯器入水温度と
に基づいて、前記混合調節弁の故障診断を行うようになっていることを特徴とする給湯システムの故障診断装置。
【請求項２】
浴槽への自動お湯張り機能を有する主熱源としての給湯器と、補助熱源によって生成された予熱温水に必要に応じて低温水を混合して前記給湯器に送出する混合調節弁が搭載された給湯接続ユニットとを有し、前記混合調節弁は、全開状態で予熱温水を、全閉状態で低温水を前記給湯器に送出するようになっている給湯システムの故障診断装置であって、
前記給湯器及び前記給湯接続ユニットに対して所定の動作を実行させる動作指令信号を前記給湯器及び前記給湯接続ユニットに送信すると共に、前記給湯器及び前記給湯接続ユニットから、それらの運転状態を示す運転状態信号を受信する診断制御手段とを備え、
前記診断制御手段は、
前記給湯器に自動お湯張り指令を送信し、
前記給湯器が浴槽への自動注湯を行っている状態で、前記給湯接続ユニットから取得した前記給湯接続ユニットに導入される予熱温水及び低温水の温度と、
前記給湯器が浴槽への自動注湯を行っている状態で、前記給湯接続ユニットに前記混合調節弁の全閉指令を送信し、前記混合調節弁が閉弁動作を完了した状態で、前記給湯器から取得した閉弁時給湯器入水温度及び前記給湯器が浴槽への自動注湯を行っている状態で、前記給湯接続ユニットに前記混合調節弁の全開指令を送信し、前記混合調節弁が開弁動作を完了した状態で、前記給湯器から取得した開弁時給湯器入水温度と
に基づいて、前記混合調節弁の故障診断を行うようになっていることを特徴とする給湯システムの故障診断装置。
【請求項３】
前記診断制御手段は、前記給湯接続ユニットに導入される予熱温水の温度と、前記給湯接続ユニットに導入される低温水の温度との間の温度差が、予め設定されている判定温度差を上回っている場合に限り、前記混合調節弁の故障診断を行うようになっている請求項１または２に記載の給湯システムの故障診断装置。
【請求項４】
前記診断制御手段は、前記開弁時給湯器入水温度と前記閉弁時給湯器入水温度との間の温度差が、前記判定温度差を上回っている場合は、前記混合調節弁が正常であると診断するようになっている請求項３に記載の給湯システムの故障診断装置。
【請求項５】
前記診断制御手段は、前記開弁時給湯器入水温度と前記閉弁時給湯器入水温度との間の温度差が、前記給湯接続ユニットに導入される予熱温水の温度と前記給湯接続ユニットに導入される低温水の温度との間の温度差に略一致する場合は、前記混合調節弁が正常であると診断するようになっている請求項１、２または３に記載の給湯システムの故障診断装置。
【請求項６】
主熱源としての給湯器と、補助熱源によって生成された予熱温水に必要に応じて低温水を混合して前記給湯器に送出する混合調節弁が搭載された給湯接続ユニットとを有し、
前記混合調節弁は、全開状態で予熱温水を、全閉状態で低温水を前記給湯器に送出するようになっており、
前記給湯接続ユニットは、前記混合調節弁の低温水入口側と出口側とを相互に接続するバイパス管を有し、前記バイパス管には、通電状態でその流路を遮断する電磁弁が設置されている給湯システムの故障診断装置であって、
前記給湯接続ユニットに対して所定の動作を実行させる動作指令信号を前記給湯接続ユニットに送信すると共に、前記給湯器から、その運転状態を示す運転状態信号を受信する診断制御手段とを備え、
前記診断制御手段は、
出湯状態において、前記給湯接続ユニットに前記混合調節弁の全開指令を送信することで、前記混合調節弁を全開にした状態で、
前記給湯接続ユニットに前記電磁弁の閉弁指令を送信し、その状態で前記給湯器から取得した非バイパス時給湯器入水温度と、前記給湯接続ユニットに前記電磁弁の開弁指令を送信し、その状態で前記給湯器から取得したバイパス時給湯器入水温度との間に温度差が生じているか否かによって、前記電磁弁の故障診断を行うようになっていることを特徴とする給湯システムの故障診断装置。
【請求項７】
浴槽への自動お湯張り機能を有する主熱源としての給湯器と、補助熱源によって生成された予熱温水に必要に応じて低温水を混合して前記給湯器に送出する混合調節弁が搭載された給湯接続ユニットとを有し、
前記混合調節弁は、全開状態で予熱温水を、全閉状態で低温水を前記給湯器に送出するようになっており、
前記給湯接続ユニットは、前記混合調節弁の低温水入口側と出口側とを相互に接続するバイパス管を有し、前記バイパス管には、通電状態でその流路を遮断する電磁弁が設置されている給湯システムの故障診断装置であって、
前記給湯器及び前記給湯接続ユニットに対して所定の動作を実行させる動作指令信号を前記給湯器及び前記給湯接続ユニットに送信すると共に、前記給湯器及び前記給湯接続ユニットから、それらの運転状態を示す運転状態信号を受信する診断制御手段とを備え、
前記診断制御手段は、
前記給湯器に自動お湯張り指令を送信し、
前記給湯器が浴槽への自動注湯を行っているときに、前記給湯接続ユニットに前記混合調節弁の全開指令を送信することで、前記混合調節弁を全開にした状態で、
前記給湯接続ユニットに前記電磁弁の閉弁指令を送信し、その状態で前記給湯器から取得した非バイパス時給湯器入水温度と、前記給湯接続ユニットに前記電磁弁の開弁指令を送信し、その状態で前記給湯器から取得したバイパス時給湯器入水温度との間に温度差が生じているか否かによって、前記電磁弁の故障診断を行うようになっていることを特徴とする給湯システムの故障診断装置。
【発明の詳細な説明】
【０００１】
【発明の属する技術分野】
この発明は、太陽熱利用温水器等の補助熱源によって生成された予熱温水に必要に応じて低温水を混合して給湯器に送出する給湯接続ユニットを備えた給湯システムの故障診断装置、特に、給湯接続ユニットの故障を診断することができる給湯システムの故障診断装置に関する。
【０００２】
【従来の技術】
補助熱源を利用した給湯システムとしては、例えば、太陽熱を利用して温水を生成する太陽熱利用温水器と給湯器とを組み合わせた給湯システムが従来から一般的に知られている。
【０００３】
こういった給湯システムでは、太陽熱利用温水器と給湯器とが給湯接続ユニットを介して接続されており、給湯時には、太陽熱利用温水器によって生成された予熱温水が給湯接続ユニットを介して給湯器に送出されるが、給湯接続ユニットは、予熱温水を単に給湯器に送出するだけではなく、必要に応じて、予熱温水に低温水を混合した状態で給湯器に送出することができるように、給湯接続ユニットには、全開で予熱温水のみを給湯器に送出し、全閉で低温水のみを給湯器に送出する混合調節弁が搭載されている。
【０００４】
また、こういった給湯システムには、停電時であっても、高温出湯を防止した状態で、予熱温水を利用した給湯を行うことができるように、給湯接続ユニットには、混合調節弁の低温水入口側と出口側とを相互に接続するバイパス管が設けられており、このバイパス管には、通電状態でその流路を遮断する電磁弁が設置されている。
【０００５】
従って、こういった給湯システムでは、給湯接続ユニットに搭載された混合調節弁や電磁弁等が適正に作動しなければ、システム全体を適正かつ安全に運転することができなくなるので、こういった給湯システムの定期点検や故障発生時の修理においては、メンテナンスマンが予め定められた整備マニュアル等に示された点検手順に従って、給湯接続ユニットに搭載された混合調節弁や電磁弁等を手動で操作しながら、それらが適正に作動しているか否かを確認することによって、混合調節弁や電磁弁等が故障しているか否かを診断していた。
【０００６】
【特許文献１】
特開平１１−１２５４６３号公報
【特許文献２】
特開２００１−１２４４０４号公報
【０００７】
【発明が解決しようとする課題】
しかしながら、こういった給湯システムは、給湯器の動作と給湯接続ユニットの動作とが密接に関連しているので、給湯器単体の故障を診断する場合とは異なり、メンテナンスマンがシステム全体を熟知していなければ、適正かつ効率よく故障診断を行うことができないといった問題がある。
【０００８】
また、実際に定期点検等を行うメンテナンスマンは、比較的簡単な点検作業に用いられるテスター等の計測器を携行しているだけであるので、給湯接続ユニットの混合調節弁や電磁弁等を個別に動作させて、そのときのシステム全体の運転状態、例えば、予熱温水温度、低温水温度、給湯器への入水温度等を確認することができず、複雑かつ詳細な点検作業を行うことが難しいといった問題もある。
【０００９】
そこで、この発明の課題は、メンテナンスマンがこの種の給湯システムを熟知していなくても、給湯接続ユニットの故障診断を簡単かつ確実に行うことができる給湯システムの故障診断装置を提供することにある。
【００１０】
【課題を解決するための手段及びその効果】
上記の課題を解決するため、請求項１にかかる発明は、主熱源としての給湯器と、補助熱源によって生成された予熱温水に必要に応じて低温水を混合して前記給湯器に送出する混合調節弁が搭載された給湯接続ユニットとを有し、前記混合調節弁は、全開状態で予熱温水を、全閉状態で低温水を前記給湯器に送出するようになっている給湯システムの故障診断装置であって、前記給湯接続ユニットに対して所定の動作を実行させる動作指令信号を前記給湯接続ユニットに送信すると共に、前記給湯器及び前記給湯接続ユニットから、それらの運転状態を示す運転状態信号を受信する診断制御手段とを備え、前記診断制御手段は、出湯状態において、前記給湯接続ユニットから取得した前記給湯接続ユニットに導入される予熱温水及び低温水の温度と、出湯状態において、前記給湯接続ユニットに前記混合調節弁の全閉指令を送信し、前記混合調節弁が閉弁動作を完了した状態で、前記給湯器から取得した閉弁時給湯器入水温度及び出湯状態において、前記給湯接続ユニットに前記混合調節弁の全開指令を送信し、前記混合調節弁が開弁動作を完了した状態で、前記給湯器から取得した開弁時給湯器入水温度とに基づいて、前記混合調節弁の故障診断を行うようになっていることを特徴とする給湯システムの故障診断装置を提供するものである。
【００１１】
以上のように、この給湯システムの故障診断装置は、出湯状態において、給湯接続ユニットに導入される予熱温水及び低温水の温度をそれぞれ取得すると共に、出湯状態において、給湯接続ユニットに混合調節弁の全閉指令を送信し、そのときに給湯器に導入される湯水の温度である閉弁時給湯器入水温度及び出湯状態において、給湯接続ユニットに混合調節弁の全開指令を送信し、そのときに給湯器に導入される湯水の温度である開弁時給湯器入水温度をそれぞれ取得し、これらの温度に基づいて、混合調節弁が全閉指令や全開指令に従って正常に全閉動作や全開動作を行ったのか否かを判断するようにしたので、メンテナンスマンがこの種の給湯システムを熟知していなくても、給湯接続ユニットに搭載された混合調節弁の故障診断を簡単かつ確実に行うことができる。
【００１２】
特に、請求項２にかかる発明の故障診断装置のように、浴槽への自動お湯張り機能を有する主熱源としての給湯器と、補助熱源によって生成された予熱温水に必要に応じて低温水を混合して前記給湯器に送出する混合調節弁が搭載された給湯接続ユニットとを有し、前記混合調節弁は、全開状態で予熱温水を、全閉状態で低温水を前記給湯器に送出するようになっている給湯システムの故障診断装置であって、前記給湯器及び前記給湯接続ユニットに対して所定の動作を実行させる動作指令信号を前記給湯器及び前記給湯接続ユニットに送信すると共に、前記給湯器及び前記給湯接続ユニットから、それらの運転状態を示す運転状態信号を受信する診断制御手段とを備え、前記診断制御手段は、前記給湯器に自動お湯張り指令を送信し、前記給湯器が浴槽への自動注湯を行っている状態で、前記給湯接続ユニットから取得した前記給湯接続ユニットに導入される予熱温水及び低温水の温度と、前記給湯器が浴槽への自動注湯を行っている状態で、前記給湯接続ユニットに前記混合調節弁の全閉指令を送信し、前記混合調節弁が閉弁動作を完了した状態で、前記給湯器から取得した閉弁時給湯器入水温度及び前記給湯器が浴槽への自動注湯を行っている状態で、前記給湯接続ユニットに前記混合調節弁の全開指令を送信し、前記混合調節弁が開弁動作を完了した状態で、前記給湯器から取得した開弁時給湯器入水温度とに基づいて、前記混合調節弁の故障診断を行うようになっているものにあっては、メンテナンスマンが手動で出湯操作を行う必要がないので、作業性が向上するという効果が得られる。
【００１３】
また、予熱温水温度と低温水温度との間にほとんど温度差がない場合は、閉弁時給湯器入水温度と開弁時給湯器入水温度との間にも同様に温度差がなく、混合調節弁の故障診断を適正に行うことができないので、請求項３にかかる発明の故障診断装置のように、前記診断制御手段は、前記給湯接続ユニットに導入される予熱温水の温度と、前記給湯接続ユニットに導入される低温水の温度との間の温度差が、予め設定されている判定温度差を上回っている場合に限り、前記混合調節弁の故障診断を行うようにしておくことが望ましい。
【００１４】
また、給湯接続ユニットに搭載された混合調節弁が故障しているか否かの具体的な診断手法としては、請求項４にかかる発明の故障診断装置のように、前記開弁時給湯器入水温度と前記閉弁時給湯器入水温度との間の温度差が、前記判定温度差を上回っている場合は、前記混合調節弁が正常であると診断したり、請求項５にかかる発明の故障診断装置のように、前記開弁時給湯器入水温度と前記閉弁時給湯器入水温度との間の温度差が、前記給湯接続ユニットに導入される予熱温水の温度と前記給湯接続ユニットに導入される低温水の温度との間の温度差に略一致する場合は、前記混合調節弁が正常であると診断すればよい。
【００１５】
また、上記の課題を解決するため、請求項６にかかる発明は、主熱源としての給湯器と、補助熱源によって生成された予熱温水に必要に応じて低温水を混合して前記給湯器に送出する混合調節弁が搭載された給湯接続ユニットとを有し、前記混合調節弁は、全開状態で予熱温水を、全閉状態で低温水を前記給湯器に送出するようになっており、前記給湯接続ユニットは、前記混合調節弁の低温水入口側と出口側とを相互に接続するバイパス管を有し、前記バイパス管には、通電状態でその流路を遮断する電磁弁が設置されている給湯システムの故障診断装置であって、前記給湯接続ユニットに対して所定の動作を実行させる動作指令信号を前記給湯接続ユニットに送信すると共に、前記給湯器から、その運転状態を示す運転状態信号を受信する診断制御手段とを備え、前記診断制御手段は、出湯状態において、前記給湯接続ユニットに前記混合調節弁の全開指令を送信することで、前記混合調節弁を全開にした状態で、前記給湯接続ユニットに前記電磁弁の閉弁指令を送信し、その状態で前記給湯器から取得した非バイパス時給湯器入水温度と、前記給湯接続ユニットに前記電磁弁の開弁指令を送信し、その状態で前記給湯器から取得したバイパス時給湯器入水温度との間に温度差が生じているか否かによって、前記電磁弁の故障診断を行うようになっていることを特徴とする給湯システムの故障診断装置を提供するものである。
【００１６】
以上のように、この給湯システムの故障診断装置は、出湯状態において、給湯接続ユニットに混合調節弁の全開指令を送信することで、混合調節弁を全開にした状態で、給湯接続ユニットに電磁弁の閉弁指令を送信し、そのときに給湯器に導入される湯水の温度である非バイパス時給湯器入水温度と、給湯接続ユニットに電磁弁の開弁指令を送信し、そのときに給湯器に導入される湯水の温度であるバイパス時給湯器入水温度とをそれぞれ取得し、これらの温度に基づいて、電磁弁が閉弁指令や開弁指令に従って正常に閉弁動作や開弁動作を行ったのか否かを判断するようにしたので、メンテナンスマンがこの種の給湯システムを熟知していなくても、給湯接続ユニットに搭載された電磁弁の故障診断を簡単かつ確実に行うことができる。
【００１７】
特に、請求項７にかかる発明の故障診断装置のように、浴槽への自動お湯張り機能を有する主熱源としての給湯器と、補助熱源によって生成された予熱温水に必要に応じて低温水を混合して前記給湯器に送出する混合調節弁が搭載された給湯接続ユニットとを有し、前記混合調節弁は、全開状態で予熱温水を、全閉状態で低温水を前記給湯器に送出するようになっており、前記給湯接続ユニットは、前記混合調節弁の低温水入口側と出口側とを相互に接続するバイパス管を有し、前記バイパス管には、通電状態でその流路を遮断する電磁弁が設置されている給湯システムの故障診断装置であって、前記給湯器及び前記給湯接続ユニットに対して所定の動作を実行させる動作指令信号を前記給湯器及び前記給湯接続ユニットに送信すると共に、前記給湯器及び前記給湯接続ユニットから、それらの運転状態を示す運転状態信号を受信する診断制御手段とを備え、前記診断制御手段は、前記給湯器に自動お湯張り指令を送信し、前記給湯器が浴槽への自動注湯を行っているときに、前記給湯接続ユニットに前記混合調節弁の全開指令を送信することで、前記混合調節弁を全開にした状態で、前記給湯接続ユニットに前記電磁弁の閉弁指令を送信し、その状態で前記給湯器から取得した非バイパス時給湯器入水温度と、前記給湯接続ユニットに前記電磁弁の開弁指令を送信し、その状態で前記給湯器から取得したバイパス時給湯器入水温度との間に温度差が生じているか否かによって、前記電磁弁の故障診断を行うようになっているものにあっては、メンテナンスマンが手動で出湯操作を行う必要がないので、作業性が向上するという効果が得られる。
【００１８】
【発明の実施の形態】
以下、実施の形態について図面を参照して説明する。図１に示すように、この故障診断装置１は、給湯機能に加えて浴槽への自動お湯張り機能を有する風呂追焚機能付給湯器（以下、風呂給湯器という）４０が、太陽熱利用温水器２０によって生成された予熱温水を利用して、給湯や浴槽への自動お湯張り等を行うことができる給湯システム２の故障診断を行うものであり、給湯システム２の故障診断を行う際は、故障診断装置１を風呂給湯器４０に接続するようになっている。
【００１９】
前記故障診断装置１による故障診断の対象となる給湯システム２は、同図に示すように、太陽熱利用温水器２０と風呂給湯器４０とが給湯接続ユニット３０を介して接続されており、太陽熱利用温水器２０によって生成された温水が給湯接続ユニット３０を介して風呂給湯器４０に送出されるようになっている。
【００２０】
前記太陽熱利用温水器２０は、ソーラー集熱器２１と密閉式の蓄熱槽２４とを備えており、蓄熱槽２４には、その下端部に低温水を供給するための給水管２５が接続されていると共に、上端部には貯留された予熱温水を給湯接続ユニット３０に送出するための予熱温水供給管２６が接続されている。
【００２１】
前記ソーラー集熱器２１には、その入口側と出口側とを接続するソーラー配管２２によって熱媒体の循環経路が形成されており、このソーラー配管２２は、部分的に蓄熱槽２４内に導入された熱交換部２３を有している。従って、ソーラー集熱器２１によって加熱された熱媒体は、ソーラー配管２２を通って蓄熱槽２４内に導かれ、熱交換部２３で蓄熱槽２４内の水と熱交換を行うことで、蓄熱槽２４内に予熱温水が生成されるようになっている。
【００２２】
前記給湯接続ユニット３０は、同図に示すように、給水管３２を介して供給される低温水と、蓄熱槽２４から予熱温水供給管２６を介して供給される予熱温水とを、必要に応じて混合する混合調節弁３１を備えており、蓄熱槽２４から送出された予熱温水は、そのまま又は低温水と適宜混合された状態で混合調節弁３１の出口側に接続された温水配管３３を介して風呂給湯器４０に送出されるようになっている。なお、混合調節弁３１は、全開状態で、蓄熱槽２４から予熱温水供給管２６を介して供給される予熱温水のみを風呂給湯器４０に送出し、逆に、全閉状態では、給水管３２を介して供給される低温水のみを風呂給湯器４０に送出するようになっている。
【００２３】
また、給湯接続ユニット３０には、給水管２５から分岐して混合調節弁３１の低温水入口側に接続された給水管３２と混合調節弁３１の出口側に接続された温水配管３３とを相互に接続するバイパス管３４が設けられており、このバイパス管３４には、通電状態でバイパス管３４の流路を遮断するダイヤフラム方式の電磁弁３５が設置されている。従って、停電時には、電磁弁３５がバイパス管３４の流路を開放することになり、停電時に蓄熱槽２４から送出された予熱温水にある程度の低温水が確実に混合された状態で風呂給湯器４０に送出されることになるので、停電時には、少なくとも、高温出湯を防止した状態で、蓄熱槽２４に貯留された予熱温水を利用した給湯や浴槽への自動お湯張り等が可能になる。
【００２４】
また、混合調節弁３１に接続された予熱温水供給管２６、給水管３２及び温水配管３３には、蓄熱槽２４から給湯接続ユニット３０に導入される予熱温水の温度（以下、予熱温水温度という。）Ｔｓを検出するための予熱温水温度センサ３６、給湯接続ユニット３０に導入される低温水の温度（以下、低温水温度という。）Ｔｗを検出するための低温水温度センサ３７及び給湯接続ユニット３０から送出される温水の温度（以下、混合温水温度という。）Ｔｏを検出するための混合温水温度センサ３８がそれぞれ設置されている。
【００２５】
前記給湯接続ユニット３０及び風呂給湯器４０には、シリアルインターフェースを介して相互に通信可能なコントローラ３０ａ、４０ａがそれぞれ搭載されていると共に、風呂給湯器４０の操作リモコン５０には、シリアルインターフェースを介して風呂給湯器４０のコントローラ４０ａと相互に通信可能なコントローラ５０ａが搭載されており、これらのコントローラ３０ａ、４０ａ、５０ａが相互に連携をとりながら、給湯システム２の運転動作を統括的に制御している。
【００２６】
給湯接続ユニット３０のコントローラ３０ａには、予熱温水温度センサ３６、低温水温度センサ３７及び混合温水温度センサ３８からの温度検出信号が入力されると共に、操作リモコン５０によって設定された給湯設定温度Ｔｅや風呂設定温度Ｔｂ及び運転スイッチ信号、バーナー燃焼信号、最低作動流量以上の水流を検知してＯＮする水流信号等が風呂給湯器４０のコントローラ４０ａから送信されるようになっており、こういった水流信号、温度検出信号及び給湯設定温度Ｔｅや風呂設定温度Ｔｂに基づいて、給湯接続ユニット３０のコントローラ３０ａが混合調節弁３１の開閉動作を制御するようになっている。
【００２７】
蓄熱槽２４から送出される予熱温水の温度、即ち、予熱温水温度センサ３６によって検出された予熱温水温度Ｔｓが給湯設定温度Ｔｅまたは風呂設定温度Ｔｂ以上の場合は、風呂給湯器４０のバーナーを燃焼させなくても、低温水を適宜混合することによって給湯設定温度Ｔｅまたは風呂設定温度Ｔｂの温水を供給することができるので、給湯接続ユニット３０から送出される温水の温度、即ち、混合温水温度センサ３８によって検出される混合温水温度Ｔｏが給湯設定温度Ｔｅまたは風呂設定温度Ｔｂになるように、混合調節弁３１の開閉動作を制御する設定温度制御を行うようになっている。
【００２８】
一方、予熱温水温度Ｔｓが給湯設定温度Ｔｅまたは風呂設定温度Ｔｂより低い場合は、風呂給湯器４０のバーナーを燃焼させなければ、給湯設定温度Ｔｅまたは風呂設定温度Ｔｂの温水を供給することができないので、風呂給湯器４０のバーナーを燃焼させることによって、確実に給湯設定温度Ｔｅまたは風呂設定温度Ｔｂの温水を生成することができるように、給湯設定温度Ｔｅまたは風呂設定温度Ｔｂが６０℃以上、６０℃未満３５℃以上、３５℃未満に場合分けし、６０℃以上の場合は４５℃、６０℃未満３５℃以上の場合は３０℃、３５℃未満の場合は２５℃といった固定温度Ｔｆの温水がそれぞれ送出されるように、混合調節弁３１の開度を調整して低温水を混合する固定温度制御を行うようになっている。
【００２９】
また、前記風呂給湯器４０は、温水配管３３に接続される通水路４１における熱交換器４２の入口側に、給湯接続ユニット３０から導入される湯水の温度（以下、給湯器入水温度という。）Ｔｉを検出するための入水温度センサ４３が設置されており、この入水温度センサ４３からの温度検出信号がコントローラ４０ａに入力されるようになっている。
【００３０】
前記故障診断装置１は、図２に示すように、装置全体を制御する診断制御手段１１と、起動プログラムや各種故障診断プログラム等が記憶されている記憶手段１２と、操作画面や診断結果等を表示する表示手段１３と、故障診断の開始操作等の種々の入力操作を行う入力手段１４と、給湯接続ユニット３０や風呂給湯器４０のコントローラ３０ａ、４０ａに通信可能に接続する通信手段１５とを備えており、診断制御手段１１は、故障診断プログラムに従って、給湯接続ユニット３０や風呂給湯器４０に対して所定の動作を実行させる動作指令信号を給湯接続ユニット３０や風呂給湯器４０のコントローラ３０ａ、４０ａに送信すると共に、給湯接続ユニット３０や風呂給湯器４０のコントローラ３０ａ、４０ａから受信した、種々の運転状態情報に基づいて、給湯接続ユニット３０の故障診断を行うようになっている。
【００３１】
この故障診断装置１は、具体的には、携帯可能なパーソナルコンピュータによって構成され、そのパーソナルコンピュータを構成している中央演算処理装置（ＣＰＵ）、ハードディスク装置（ＨＤ）やメモリ装置（ＲＡＭ）、液晶ディスプレイ装置、キーボードやマウス及び内蔵モデム等が、上述した診断制御手段１１、記憶手段１２、表示手段１３、入力手段１４及び通信手段１５に相当する。
【００３２】
以上のように構成された故障診断装置１を用いて、給湯システム２の故障診断を行う場合について、以下に説明する。まず、給湯接続ユニット３０及び操作リモコン５０等が二芯通信線を介して接続されている、風呂給湯器４０の端子台に故障診断装置１を接続し、故障診断装置１の電源スイッチをＯＮすると、所定の起動プログラムが実行される。これによって、故障診断装置１と、給湯接続ユニット３０のコントローラ３０ａや風呂給湯器４０のコントローラ４０ａとが通信可能な状態となり、故障診断装置１からコントローラ３０ａ、４０ａに、給湯接続ユニット３０や風呂給湯器４０に対する動作指令信号を送信したり、給湯接続ユニット３０や風呂給湯器４０の各種運転状態情報、例えば、予熱温水温度Ｔｓ、低温水温度Ｔｗ、給湯器入水温度Ｔｉ等を、コントローラ３０ａ、４０ａから受信したりすることができる状態となる。
【００３３】
続いて、故障診断装置１の表示手段１３に表示された操作画面に従って、具体的に故障診断を実施する装置及びその構成要素を指定すると、その構成要素の故障診断を行うための故障診断プログラムが記憶手段１２から読み込まれ、実行される。以下、給湯接続ユニット３０の混合調節弁３１及び電磁弁３５の故障診断を行う場合について、図３及び図４に示すフローチャートを参照しながら、説明する。
【００３４】
〔混合調節弁の故障診断処理〕
図３に示すように、まず、故障診断装置１から、風呂給湯器４０のコントローラ４０ａに、浴槽への自動お湯張り指令が送信され（ステップＳ１）、風呂給湯器４０が、浴槽への自動注湯を開始する（ステップＳ２）。これによって、給湯接続ユニット３０から風呂給湯器４０に湯水が導入されることになる。
【００３５】
ここで、故障診断装置１は、浴槽への自動注湯を開始した後に検出された予熱温水温度Ｔｓ及び低温水温度Ｔｗを給湯接続ユニット３０のコントローラ３０ａから受信し（ステップＳ３）、予熱温水温度Ｔｓと低温水温度Ｔｗとの間の温度差が、予め設定されている判定温度差（例えば、５℃）ΔＴ以上か否かを判断する（ステップＳ４）。
【００３６】
ここで、予熱温水温度Ｔｓと低温水温度Ｔｗとの間の温度差が判定温度差ΔＴよりも小さい場合は、十分な診断精度を確保することができないので、表示手段１３に、故障診断が不可能である旨の表示を行い（ステップＳ１２）、混合調節弁３１の故障診断処理を終了する。
【００３７】
一方、予熱温水温度Ｔｓと低温水温度Ｔｗとの間の温度差が判定温度差ΔＴ以上の場合は、続いて、給湯接続ユニット３０のコントローラ３０ａに混合調節弁３１の全閉指令を送信し（ステップＳ５）、混合調節弁３１が閉弁動作を完了したと想定される時点から、温水配管３３の長さを考慮して設定された遅延時間（混合調節弁３１から送出された湯水が風呂給湯器４０に導入されるまでに要する時間、例えば、１０秒）が経過した後に検出された給湯器入水温度（以下、閉弁時給湯器入水温度Ｔｉｃという。）を風呂給湯器４０のコントローラ４０ａから受信する（ステップＳ６）。
【００３８】
このようにして閉弁時給湯器入水温度Ｔｉｃを取得すると、故障診断装置１は、続いて、給湯接続ユニット３０のコントローラ３０ａに混合調節弁３１の全開指令を送信し（ステップＳ７）、混合調節弁３１が開弁動作を完了したと想定される時点から前記遅延時間が経過した後に検出された給湯器入水温度（以下、開弁時給湯器入水温度Ｔｉｏという。）を風呂給湯器４０のコントローラ４０ａから受信する（ステップＳ８）。
【００３９】
そして、取得した開弁時給湯器入水温度Ｔｉｏと閉弁時給湯器入水温度Ｔｉｃとの間の温度差が、先に取得した予熱温水温度Ｔｓと低温水温度Ｔｗとの間の温度差に略一致しているか否か、例えば、±１℃の範囲内に入っているか否かを判断し（ステップＳ９）、開弁時給湯器入水温度Ｔｉｏと閉弁時給湯器入水温度Ｔｉｃとの間の温度差が、予熱温水温度Ｔｓと低温水温度Ｔｗとの間の温度差に略一致している場合は、混合調節弁３１の開閉動作が正常に行われているといえるので、表示手段１３に混合調節弁３１が正常である旨を表示し（ステップＳ１０）、開弁時給湯器入水温度Ｔｉｏと閉弁時給湯器入水温度Ｔｉｃとの間の温度差が、予熱温水温度Ｔｓと低温水温度Ｔｗとの間の温度差と異なる場合は、混合調節弁３１の開閉動作が正常に行われているとはいえないので、表示手段１３に混合調節弁３１が異常である旨を表示し（ステップＳ１１）、混合調節弁３１の異常診断処理を終了する。
【００４０】
〔電磁弁の故障診断処理〕
図４に示すように、まず、故障診断装置１から、風呂給湯器４０のコントローラ４０ａに、浴槽への自動お湯張り指令が送信され（ステップＳ２１）、風呂給湯器４０が、浴槽への自動注湯を開始する（ステップＳ２２）。これによって、給湯接続ユニット３０から風呂給湯器４０に湯水が導入されることになる。
【００４１】
ここで、故障診断装置１は、給湯接続ユニット３０のコントローラ３０ａに混合調節弁３１の全開指令を送信し（ステップＳ２３）、混合調節弁３１を全開まで開弁させると、混合調節弁３１から風呂給湯器４０に、予熱温水温度Ｔｓの温水が導入され始める。続いて、故障診断装置１は、混合調節弁３１が全開まで開弁した時点から前記遅延時間が経過すると、電磁弁３５の閉弁指令をコントローラ３０ａに送信し（ステップＳ２４）、その時点から前記遅延時間が経過した後に検出された給湯器入水温度（以下、非バイパス時給湯器入水温度Ｔｉｎという。）を風呂給湯器４０のコントローラ４０ａから受信する（ステップＳ２５）。
【００４２】
このようにして非バイパス時給湯器入水温度Ｔｉｎを取得すると、故障診断装置１は、続いて、給湯接続ユニット３０のコントローラ３０ａに電磁弁３５の開弁指令を送信し（ステップＳ２６）、その時点から前記遅延時間が経過した後に検出された給湯器入水温度（以下、バイパス時給湯器入水温度Ｔｉｂという。）を風呂給湯器４０のコントローラ４０ａから受信する（ステップＳ２７）。
【００４３】
そして、取得した非バイパス時給湯器入水温度Ｔｉｎとバイパス時給湯器入水温度Ｔｉｂとの間に温度差が生じているか否かを判断し（ステップＳ２８）、非バイパス時給湯器入水温度Ｔｉｎとバイパス時給湯器入水温度Ｔｉｂとの間に温度差が生じている場合は、電磁弁３５の開閉動作が正常に行われているといえるので、表示手段１３に電磁弁３５が正常である旨を表示し（ステップＳ２９）、非バイパス時給湯器入水温度Ｔｉｎとバイパス時給湯器入水温度Ｔｉｂとの間にほとんど温度差が生じていない場合は、電磁弁３５の開閉動作が正常に行われているとはいえないので、表示手段１３に電磁弁３５が異常である旨を表示し（ステップＳ３０）、電磁弁３５の異常診断処理を終了する。
【００４４】
以上のように、この故障診断装置１では、出湯状態において、給湯接続ユニット３０のコントローラ３０ａに、混合調節弁３１や電磁弁３５の開閉指令信号を送信することで、混合調節弁３１や電磁弁３５の開閉操作を自動的に行うことにより、給湯システム２の運転状態を順次切り換えながら、それぞれの運転状態を示す温度情報を給湯接続ユニット３０や風呂給湯器４０のコントローラ３０ａ、４０ａから受信し、これらの温度情報に基づいて、混合調節弁３１や電磁弁３５の故障診断を行うようにしたので、メンテナンスマンがこの給湯システム２を熟知していなくても、給湯接続ユニット３０に搭載された混合調節弁３１や電磁弁３５の故障診断を簡単かつ確実に行うことができる。
【００４５】
特に、この故障診断装置１では、給湯システム２の故障診断を開始すると、自動お湯張り機能を有する風呂給湯器４０のコントローラ４０ａに自動お湯張り指令を送信し、浴槽への自動注湯を強制的に行わせることによって、自動的に出湯状態を作り出すようにしているので、故障診断を行う際に、メンテナンスマンがその都度手動で出湯操作を行う必要がなく、作業性がよい。
【００４６】
なお、上述した実施形態では、風呂給湯器４０において検出された開弁時給湯器入水温度Ｔｉｏと閉弁時給湯器入水温度Ｔｉｃとの間の温度差が、給湯接続ユニット３０において検出された予熱温水温度Ｔｓと低温水温度Ｔｗとの間の温度差に略一致しているか否かによって、混合調節弁３１の故障診断を行うようにしているが、これに限定されるものではなく、例えば、開弁時給湯器入水温度Ｔｉｏと閉弁時給湯器入水温度Ｔｉｃとの間の温度差が判定温度差ΔＴ以上である場合は、混合調節弁３１が正常であると診断することも可能である。
【００４７】
また、上述した実施形態では、混合調節弁３１の故障診断を行う際、閉弁時給湯器入水温度Ｔｉｃを検出した後に、開弁時給湯器入水温度Ｔｉｏを検出するようにしているが、即ち、混合調節弁３１を全閉にした後、全開にするようにしているが、これに限定されるものではなく、混合調節弁３１を全開にした後、全閉にすることにより、開弁時給湯器入水温度Ｔｉｏを検出した後に、閉弁時給湯器入水温度Ｔｉｃを検出するようにしてもよい。
【００４８】
また、上述した実施形態では、電磁弁３５の故障診断を行う際、非バイパス時給湯器入水温度Ｔｉｎを検出した後、バイパス時給湯器入水温度Ｔｉｂを検出するようにしているが、これに限定されるものではなく、電磁弁３５を開弁させることによって、バイパス時給湯器入水温度Ｔｉｂを検出した後、電磁弁３５を閉弁させることによって、非バイパス時給湯器入水温度Ｔｉｎを検出するようにしてもよい。
【００４９】
また、上述した実施形態では、電磁弁３５の故障診断を行う際、混合調節弁３１を全閉にした状態で、非バイパス時給湯器入水温度Ｔｉｎとバイパス時給湯器入水温度Ｔｉｂとを検出するようにしているが、予熱温水温度Ｔｓが低温水温度Ｔｗに近い場合は、非バイパス時給湯器入水温度Ｔｉｎとバイパス時給湯器入水温度Ｔｉｂとの間にほとんど温度差が生じないことになり、精度よく故障診断を行うことができないので、混合調節弁３１の故障診断を行う場合と同様に、給湯接続ユニット３０において検出される予熱温水温度Ｔｓと低温水温度Ｔｗとの間の温度差が判定温度差ΔＴを下回っている場合は、故障診断を行わないようにしておくことが望ましい。
【００５０】
また、電磁弁３５の故障診断は、混合調節弁３１が正常に作動することが前提となるので、電磁弁３５の故障診断を行う場合は、予め、混合調節弁３１の故障診断を行って、混合調節弁３１が正常に作動することを確認しておくことが望ましい。
【００５１】
また、上述した実施形態では、混合調節弁３１や電磁弁３５の故障診断を行う際、風呂給湯器４０のコントローラ４０ａに自動お湯張り指令を送信し、浴槽への自動注湯を強制的に行わせることによって、自動的に出湯状態を作り出すようにしているが、これに限定されるものではなく、メンテナンスマンが、カランを開ける等の出湯操作をその都度行うようにしてもよい。
【００５２】
また、上述した実施形態は、太陽熱利用温水器２０を補助熱源として使用した給湯システム２の故障診断を行う場合について説明したが、給湯システムにおける補助熱源は、こういった太陽熱利用温水器に限定されるものではなく、例えば、コージェネレーションシステムにおけるガスエンジンやガスタービンの廃熱を補助熱源として使用した給湯システムのように、種々の補助熱源を使用した給湯システムについても、本発明の故障診断装置によって故障診断を行うことができることはいうまでもない。
【図面の簡単な説明】
【図１】この発明にかかる故障診断装置を給湯システムに接続した状態を示す概略構成図である。
【図２】同上の故障診断装置を示すブロック図である。
【図３】同上の故障診断装置による混合調節弁の故障診断処理を示すフローチャートである。
【図４】同上の故障診断装置による電磁弁の故障診断処理を示すフローチャートである。
【符号の説明】
１  故障診断装置
２  給湯システム
１１  診断制御手段
１２  記憶手段
１３  表示手段
１４  入力手段
１５  通信手段
２０  太陽熱利用温水器
３０  給湯接続ユニット
３０ａ  コントローラ（給湯接続ユニット）
３１  混合調節弁
３５  電磁弁
３６  予熱温水温度センサ
３７  低温水温度センサ
３８  混合温水温度センサ
４０  風呂追焚機能付給湯器
４０ａ  コントローラ（風呂給湯器）
４１  通水路
４２  熱交換器
４３  入水温度センサ
５０  操作リモコン
５０ａ  コントローラ（操作リモコン）
【図１】
2004308935.tif 000003
【図２】
2004308935.tif 000004
【図３】
2004308935.tif 000005
【図４】
2004308935.tif 000006